(57)【要約】【課題】従来より騒音の少ない二重床構造と、この二重床構造にすることのできる床パネルを提供する。【解決手段】床面２と、この床面２の上方に略並行に設けた床下地材６と、この床面２と床下地材６の間に斜めに差し渡した複数の棒状床支持材４とからなる二重床構造１である。【選択図】　図１
2004092378.tif 000002
【特許請求の範囲】
【請求項１】
床面と、この床面の上方に略並行に設けられた床下地材と、この床面と床下地材の間に斜め方向に差し渡された複数の棒状床支持材とからなることを特徴とする二重床構造。
【請求項２】
前記複数の棒状床支持材の間に管材、線材、吸音材及び遮音材のいずれかが設けられていることを特徴とする請求項１記載の二重床構造。
【請求項３】
前記床面と棒状床支持材との接点又は棒状床支持材と床下地材との接点に制振材、防振材及び遮音材のいずれかが設けられていることを特徴とする請求項１記載の二重床構造。
【請求項４】
前記棒状床支持材が、長尺の棒材をジグザグ形に折曲して形成されたものであることを特徴とする請求項１記載の二重床構造。
【請求項５】
前記床面と棒状床支持材の間、又は棒状床支持材と床下地材との間に板状補強材が設けられていることを特徴とする請求項１記載の二重床構造。
【請求項６】
床下地材と、斜め方向に立設されて床下地材を支持する複数の棒状床支持材とからなることを特徴とする床パネル。
【請求項７】
請求項６記載の床パネルの床下地材と棒状床下地材の間に板状補強材がその端面が床下地材端面より側方へ突出するよう設けた床パネルを床面に所定間隔離して設置し、板状補強材同士に継なぎ床下地材で接続固定したことを特徴とする二重床構造。
【発明の詳細な説明】
【０００１】
【発明の属する技術分野】
本発明は二重床構造及びこの二重床構造にすることのできる床パネルに関する。
【０００２】
【従来の技術】
近年、アパートやマンション等の集合住宅等では、上階で物が床面に落下したり、子供等が飛び跳ねたり、排水したり、戸やカーテンを開閉するとき等に発生した床面の振動が下階に伝わり、下階の空気を振動させて騒音となり、下階の居住性が悪くなるということが問題になっている。
この騒音による居住性が悪くなる問題を解決する方法として、防音効果のある二重床構造が注目され、従来の床構造を二重床構造に改修したり、新築の床を二重床構造にすることが行われている。
【０００３】
この二重床構造の最も多く採用されている構造は、床面と、この床面の上方に略並行に設けられた床下地材と、この床面と床下地材との間に略垂直に立設された床支持材とからなるものである。
この二重床構造は、床面と床下地材の間に空気層があるので、床下地材の振動によって発生した騒音が空気層を通過し床面材に伝わる際に少なくなり好ましいが、この床下地材の振動が略垂直に立設されている床支持材を通して床面に直接伝わる振動もあるので、下階の騒音が少しか小さくならず不十分である。
【０００４】
この問題を改良する二重床構造として、特開平５−３２１４４３号公報や特開平５−５９８０７号公報に記載されている二重床構造が知られている。
この特開平５−３２１４４３号公報に記載されている二重床構造は、前記床面と床支持材との間に弾性を有する台座が設けられ、床支持材と床下地材との間に床パネル受けが設けられ、更に、床下地材の上に弾性を有するシートが設けられているものである。
又、特開平５−５９８０７号公報に記載されている二重床構造は、前記床支持材がゴム質支持脚であり、床下地材と床仕上げ材との間に遮音シートが設けられたものである。
【０００５】
【発明が解決しようとする課題】
しかし、上記特開平５−３２１４４３号公報に記載されている二重床構造は、床下地材の上に設けられた弾性を有するシートによって床下地材が振動し難くなるし、弾性を有する台座によって床下地材から床支持材を伝わる床下地材の振動が吸収されて床面の振動が小さくなり、その結果、下階の騒音が少なくなり好ましいが、未だ不十分である。
【０００６】
又、特開平５−５９８０７号公報に記載されている二重床構造は、床下地材と床仕上げ材の間に設けられている遮音シートによって床下地材の振動が遮られるし、ゴム質支持脚の床支持材によって床下地材の振動が吸収されて振動が床面に伝わり難く、その結果、下階の騒音が少なくなり好ましいが、未だ不十分である。
そこで、本発明の目的は、従来より騒音の少ない二重床構造と、この二重床構造にすることのできる床パネルを提供することである。
【０００７】
【課題を解決するための手段】
本発明は上記目的を達成するためになしたものであって、請求項１記載の発明は、床面と、この床面の上方に略並行に設けられた床下地材と、
この床面と床下地材の間に斜め方向に差し渡された複数の棒状床支持材とからなる二重床構造を特徴とするものである。
【０００８】
請求項２記載の発明は、請求項１記載の発明に係り、前記複数の棒状床支持材の間に管材、線材、吸音材及び遮音材のいずれかが設けられているものである。
【０００９】
請求項３記載の発明は、請求項１記載の発明に係り、前記床面と棒状床支持材との接点又は棒状床支持材と床下地材との接点に制振材、防振材及び遮音材のいずれかが設けられているものである。
【００１０】
請求項４記載の発明は、請求項１記載の発明に係り、前記棒状床支持材が、長尺の棒材をジグザグ形に折曲して形成されたものである。
【００１１】
請求項５記載の発明は、請求項１記載の発明に係り、棒状床支持材と床下地材との間に板状補強材が設けられている特徴とするものである。
【００１２】
請求項６記載の発明は、床下地材と、斜め方向に立設されて床下地材を支持する複数の棒状床支持材とからなる床パネルを特徴とするものである。
【００１３】
請求項７記載の発明は、請求項６記載の床パネルの床下地材と棒状床下地材の間に板状補強材がその端面が床下地材端面より側方へ突出するよう設けた床パネルを床面に所定間隔離して設置し、板状補強材同士に継なぎ床下地材で接続固定した二重床構造であることを特徴とするものである。
【００１４】
請求項１記載の発明における床面とは、床を構成するものであり、コンクリートスラブ等のコンクリート系の面材や木板等の木質系面材等がある。
【００１５】
請求項１記載の発明における斜め方向に差し渡された複数の棒状床支持材とは、複数の合成樹脂、木質材等や鋼等の可撓性の棒状体を斜め方向に立設させて支持材に組み立てたものであって、この組立方法としては種々ある。例えば、ハ字形に組み立てたり、三角錐状に組み立てたり、四角錐状に組み立てる方法等があるが、請求項４記載の発明のように、合成樹脂や金属等の長尺の棒材を折曲させて形成したものは、長尺の棒材を折曲させるだけで製造でき、製造し易く、しかも、効果が大きいので好ましい。
【００１６】
請求項２記載の発明における管材とは、建物の内部に設ける管材をいい、かかる管材としては水道管、ガス管、電纜管、排水管、冷暖房装置の冷媒管や排水管等がある。
又、線材とは、建物の内部に設ける線材をいい、かかる線材としては電線、電話線、アンテナ線、アース線等がある。
又、吸音材とは、音を吸収する性質を有するものであって、ガラスファイバー、岩綿等の繊維状体や、ポリスチレン発泡体等の樹脂発泡体や、ゴムやゴム発泡体等が好適なものである。
【００１７】
請求項２記載の発明や請求項３記載の発明における遮音材とは、音や振動を遮えぎるものであって、鉛や鉄等の密度の大きなものが好ましい。
請求項３記載の発明における制振材とは、振動を小さくなるように制御するものであって、弾性と粘性を組み合わせて制御するようにしたダンパーが好適である。
又、防振材とは、振動や音を吸収し小さくするものであって、ゴムや軟質合成樹脂等のゴム弾性材を有するものや、鉛や鉄や酸化鉄等の密度の大きな物の粉末を軟質合成樹脂やゴム等に混合したものが好適である。
【００１８】
請求項２記載の発明では、複数の棒状床支持材の間に管材、線材、吸音材及び遮音材のいずれかが設けられているが、これは、管材だけでもよいし、線材だけでもよいし、吸音材だけでもよいし、遮音材だけでもよいし、管材、線材、吸音材、遮音材の中の２種以上であってもよいことを意味している。
【００１９】
請求項３記載の発明では、床面と棒状床支持材との接点又は棒状床支持材と床下地材との接点に制振材、防振材及び遮音材のいずれかが設けられているが、これは、制振材だけでもよいし、防振材だけでもよいし、遮音材だけでもよいし、制振材、防振材、遮音材の中の２種以上であってもよいことを意味している。
【００２０】
請求項５記載の発明における板状補強材とは、屈曲された棒状材の屈曲部頂点を強固に連結固定するためのもので、床面と棒状床支持材の間又は棒状床支持材と床下地材との間いずれか一方に設けられてよいし、両方に設けられてもよい。
【００２１】
（作用）
請求項１記載の発明では、床面と、この床面の上方に略並行に設けられた床下地材と、この床面と床下地材の間に斜め方向に差し渡された複数の棒状床支持材とからなることを特徴とする二重床構造であるので、床下地材の振動が、棒状床支持材を伝って床面に達する際に、斜め方向に差し渡された棒状床支持材が撓むことによって吸収され、床面に殆ど伝わらない。
その結果、上階で物が床面に落下したり、子供等が飛び跳ねたり、排水したり、戸やカーテンを開閉するとき等で床下地材が振動しても、この床下地材の振動によって発生する下階の騒音が少ない好ましい二重床構造である。
【００２２】
請求項２記載の発明では、複数の棒状床支持材の間に管材、線材、吸音材及び遮音材のいずれかが設けられているので、床下地材の振動が、床下地材と床面との間の空間を騒音となって床面に達する際に、管材や線材によって散乱されたり、吸音材によって吸収されたり、遮音材によって遮えぎられ、床面が振動し難くなり、その結果、下階の騒音が更に少なくなる。
又、複数の棒状床支持材の間に管材や線材が設けられている場合には、管材や線材が床下地材と床面との間に存在して、室内から見えなくなり、居住性がよくなる。
【００２３】
請求項３記載の発明では、床面と棒状床支持材との接点又は棒状床支持材と床下地材との接点に制振材、防振材及び遮音材のいずれかが設けられているので、床下地材の振動が、棒状床支持材を伝って床面に達する際に、制振材によって小さくなるように制御されたり、防振材によって吸収されたり、遮音材によって遮られ、その結果、下階の騒音が著しく小さくなる。
【００２４】
請求項４記載の発明では、棒状床支持材が、長尺の棒材をジグザグ形に曲折して形成されたものなので、棒材を斜めに互い違いに折曲された形状にすればよく、棒状床支持材を製造し易いし、斜めに差し渡された長尺の棒材が撓むことによって棒状床支持材を通過する振動が著しく小さくなり、効果が大きい。
そして、この棒状床支持材を床面と床下地材の間に略立設した状態に取り付けるだけで、請求項１記載の二重床構造にすることができるし、床面と床下地材との間に連続した大きな空間が形成され、この間に、請求項２記載の発明のように、管材や線材や吸音材や遮音材等を設置し易い。
【００２５】
又、この斜めに互い違いに折曲された形状の長尺の棒材を床下地材と床面との間に設け、且つ、長尺の棒材の頂点に線材や板材等の連結材を架け渡して長尺の棒材と連結材を溶接する等して頂点を固定したり、床下地材に頂点を取り付けて固定すると、この床下地材と床面の間にトラスが形成され、剛性が大きく撓み難くなる。　その結果、少ない材料で撓み難い二重床構造をすることができ、床下地材の上方に重い箪笥やテレビ等の電化製品を設置しても床下地材が撓み難く、従来、床下地材の上方に重い物を載せたときに撓み難くするために床面と床下地材との間に設ける撓み難くする根太が不要になる。
【００２６】
又、予め複数の棒状床支持材を工場等で組み立て、必要があれば、制振材や防振材等を取り付けたり、床下地材を取り付けてパネルにすると、このパネルを据え付け易くなるし、施工現場で棒状床支持材を組み立てる必要がなく、現場施工工数が少なくなる。
【００２７】
請求項５の発明では　前記床面と棒状床支持材の間又は棒状床支持材と床下地材との間に板状補強材が設けられているので、屈曲された棒状材の屈曲部頂点を連結し、同一面上に精度よく配置し、安定化することができる。
【００２８】
請求項６記載の発明では、床下地材と、斜め方向に立設された複数の棒状床支持材とからなることを特徴とする床パネルであるので、この床パネルを床下地材を上方にして床面に設置するだけで、請求項１記載の二重床構造になるし、複数の棒状床支持材の間に、予め、又は、設置する際に、管材、線材、吸音材及び遮音材のいずれかを設けると、請求項２記載の二重床構造になるし、床面と棒状床支持材の間又は棒状床支持材と床下地材との間に、予め、又は、設置する際に、制振材、防振材及び遮音材のいずれかを設けると請求項３記載の二重床構造になる。従って、既存の建物の床構造を二重床構造に改修したり、新築の建物の床構造を二重床構造に施工し易く、しかも、このように二重床構造にすると、それぞれの項に記載されているような作用を奏する。
【００２９】
請求項７記載の発明では、請求項６記載の床パネルの床下地材と棒状床下地材の間に板状補強材がその端面が床下地材端面より側方へ突出するように設けた床パネルを床面に所定間隔離して設置し板状補強材同士に継なぎ床下地で接続
したことを特徴とする二重床構造であるので、上に床下地材のない板状補強材の周縁部に別の床下地材を掛け渡し、全面床とすることができ、全面設置に比較し、部材費、施工費を低下させることができる。
【００３０】
【発明の実施の形態】
次に、本発明の実施の形態を実施例で説明する。
（実施例１）
図１及び図２は本発明の一実施例を示すもので、図１は二重床構造を示す断面図、図２は床支持材パネルを示す斜視図である。
【００３１】
図１及び図２において、１は二重床であり、この二重床１は、図１に示すように、床面２と防振材３と棒状床支持材４と吸音材５と床下地材６と床仕上げ材７とからなる。
床面２は集合住宅の床を構成するコンクリート製の床スラブである。
防振材３は振動や音を吸収して小さくするものであり、ポリエチレン樹脂の中に鉄粉を混入し、発泡・架橋させたシートであって、このシートは、振動や音を吸収したり遮蔽して小さくする性質を有する。
【００３２】
棒状床支持材４は、径が１０〜１３ｍｍの断面円形の長尺の棒材を、ジグザグ形に折曲された形状に成形したものである。
そして、この複数の棒状床支持材４を、図２に示すように、ジグザグ形に折曲された頂点同士を溶接して連結し、図１に示すように、この各頂点に径略６ｍｍの断面円形の鋼線の連結材４１、４１・・・を架け渡すと共に、各頂点を溶接してトラスを形成してパネル状にした床支持パネルＰとして使用する。
吸音材５は厚み略５０ｍｍのガラスウールである。
床下地材６は厚み略１８ｍｍのパーチクルボードである。
床仕上げ材７は厚み１２ｍｍの化粧合板である。
【００３３】
次に、この二重床１の施工方法及び作用について説明する。
先ず、工場で、鋼線をジグザグ形に折曲して棒状床支持材４を製造し、この複数の棒状床支持材４を、図２に示すように、斜めに傾斜させて並べて頂点同士を溶接して連結し、各頂点に連結材４１、４１・・・を架け渡すと共に、各頂点を溶接し固定して床支持パネルＰを製造する。
このように棒状床支持材４が鋼線をジグザグ形に折曲したものであるから棒状床支持材４が製造し易い。
【００３４】
この床支持パネルＰの連結材４１を床下地材６にタッカー等で固定して床パネルＦを製造する。
このように、予め複数の棒状床支持材４を工場等で組み立てて床支持パネルＰとし、床下地材６を固定して床パネルＦとすると、棒状床支持材４を施工現場で組み立てる必要がなくなり、現場施工工数が少なくなり、便利である。
【００３５】
施工現場では、床面２に防振材３を敷き、この上に、予め、工場で製造した床パネルＦを据え付け、複数の棒状床支持材４の間に吸音材５を取り付け、床下地材６の上に床仕上げ材７を取り付けると、二重床１が完成する。
尚、この実施例１においては、鋼線の連結材４１を棒状床支持材４の頂点に架け渡し、両者を溶接して頂点を固定したが、鋼線の連結材４１の替わりに鋼板のような板状の連結材を使用し、この板状の連結材を棒状床支持材４の頂点に載せて、板材の連結材と頂点とを溶接して固定し、この板材に通孔を設けて、この通孔にビス、釘、ホッチキス等の連結具を通して床下地材６に取り付けるようにしてもよい。
【００３６】
このようにして完成した二重床１では、床面２と、床面２に取り付けられた防振材３と、この床面２の上方に略並行に設けられた床下地材６と、この床面２と床下地材６の間に斜め方向に差し渡された複数の棒状床支持材４とからなるので、床下地材６の振動は、床下地材６から棒状床支持材４と防振材３を伝って床面２に通過する際に、斜め方向に差し渡された棒状床支持材４が撓むことによって吸収されたり、防振材３によって吸収されて小さくなり、床面２に殆ど伝わらない。
【００３７】
又、複数の棒状床支持材４の間に吸音材５が設けられ、床面２の上に防振材３があるので、床下地材６の振動によって発生する騒音が、床下地材６と床面２との間の空間を通過する際に、吸音材５によって吸収されたり、防振材３によって吸収されて小さくなり、床面２に伝わり難くなっている。
このように、床下地材６の振動は床面２に殆ど伝わらないようになっているので、上階で物が床面２に落下したり、子供等が飛び跳ねたり、排水したり、戸やカーテンを開閉する等によって床下地材６が振動しても、下階の騒音は極めて少なく、極めて好ましい二重床構造である。
【００３８】
又、床下地材６では、棒状床支持材４がジグザグ形に折曲された可撓を有する鋼製の線材であって、この複数の棒状床支持材４を、図２に示すように、斜めに傾斜させて並べて頂点同士を溶接して連結し、連結材４１、４１・・・を架け渡すと共に、各頂点を溶接し固定してトラスが形成されているので、この床支持パネルＰが床下地材６と床面２との間に設けられると、この二重床１の剛性が大きく、床下地材６が撓み難くなる。
【００３９】
従って、少ない材料で機械的強度の大きな二重床構造にすることができ、床下地材６の上方に重い箪笥やテレビ等の電化製品を設置しても、床下地材６が撓み難く、従来、床下地材６の上方に重い物を載せるために必要な床面２と床下地材６との間に設けて撓み難くする根太が不要になるし、床面２と床下地材６との間に連続した大きな空間が形成され、この間に、吸音材５を設置し易い。
【００４０】
（実施例２）
図３〜図５は本発明の他の実施例を示すもので、図３は二重床構造を示す断面図、図４は制振装置の断面図、図５は線材を通した床パネルを示す斜視図である。
【００４１】
図３〜図５において、１ａは二重床であり、この二重床１ａは、図３に示すように、床面２ａと制振装置３３ａと線材３９ａと棒状床支持材４ａと吸音材５ａと床下地材６ａと床仕上げ材７ａとからなる。
床面２ａは集合住宅の床を構成するコンクリート製の床スラブである。
【００４２】
制振装置３３ａは振動を防ぐダンパーであって、図５に示すように、箱体３３１ａの中にピストン３３２ａが移動可能に取り付けられ、このピストン３３２ａの略中心に取り付けられた中心軸３３３ａが箱体３３１ａの外側に引き出され、この先端に連結板３３４ａが取り付けられている。又、ピストン３３２ａと箱体３３１ａとはスプリングバネ３３５ａで連結されているし、ピストン３３２ａと箱体３３１ａとの間には、小さな隙間３３６ａが設けられている。又、箱体３３１ａの内部には粘度の大きな液体３３７ａが充填されている。
【００４３】
この制振装置３３ａは、連結板３３４ａと、この連結板３３４ａの反対側の箱体３３１ａの面とを防振したい物の間に取り付けて使用する。すると、一方が振動すると、スプリングバネ３３５ａの弾性と、隙間３３６ａを通過する液体３３７ａの粘性により振動が急激に減衰し、他方に伝わる振動が小さくなるように制御されるのである。
【００４４】
線材３９ａは電線である。
棒状床支持材４ａは、可撓性を有する径が１０〜１３ｍｍの断面円形の鋼製の線材をジグザグ形に折曲させたものである。
吸音材５ａは厚み略５０ｍｍのガラスウールである。
床下地材６ａは厚み略１８ｍｍのパーチクルボードである。
【００４５】
尚、複数の棒状床支持材４ａを、図５に示すように、斜めに傾斜させて並べて上側と下側の頂点同士を溶接して固定し、この下側の頂点に制振装置３３ａを取り付け、上側の頂点に連結材４１ａを架け渡して、可撓製床支持材４ａと連結材４１ａを溶接して固定し、この連結材４１ａを床下地材６１ａにタッカー等で取り付けた床パネルＦａとして使用する。
床仕上げ材７ａは厚み１２ｍｍの化粧合板である。
【００４６】
次に、この二重床１ａの施工方法及び作用について説明する。
工場で、鋼線をジグザグ形に折曲して棒状床支持材４ａを製造し、この複数の棒状床支持材４ａを、図５に示すように、斜めに傾斜させて並べて上側と下側の頂点同士を接合させ、この上側の頂点に連結材４１ａを架け渡して、棒状床支持材４ａと連結材４１ａを溶接して固定し、この下側の頂点に制振装置３３ａを取り付け、連結材４１ａを床下地材６ａに取り付けて床パネルＦａを製造する。
【００４７】
尚、この実施例２においては、鋼線の連結材４１ａを棒状床支持材４ａの頂点に架け渡し、両者を溶接して頂点を固定したが、鋼線の連結材４１ａの替わりに鋼板のような板状の連結材を使用し、この板状の連結材を棒状床支持材４ａの頂点に載せて、板材の連結材と頂点とを溶接して固定し、この板材に通孔を設けて、この通孔にビス、釘、タッカー等の連結具を通して床下地材６ａに取り付けるようにしてもよい。
【００４８】
このように、予め、工場で床下地材６ａに棒状床支持材４ａと制振装置３３ａと床下地材６ａを取り付けた床パネルＦａを製造すると、棒状床支持材４ａがジグザグ形に折曲された鋼線であるので、棒状床支持材４ａを製造し易いし、施工現場で棒状床支持材４ａを組み立てたり、この棒状床支持材４ａに制振装置３３ａや床下地材６ａを取り付ける必要がなくなり、現場施工工数が少なくなる。
【００４９】
施工現場では、床面２ａに吸音材５ａを取り付け、予め工場で製造した床パネルＦａに線材３９ａを通しながら、この床パネルＦａを床面２ａに置き、床パネルＦａの床下地材６ａを取り付け、この床下地材６ａの上に床仕上げ材７ａを取り付けると、二重床１ａが完成する。
【００５０】
このようにして完成した二重床１ａでは、床面２ａと、この床面２ａの上方に略並行に設けられた床下地材６ａと、この床面２ａと床下地材６ａの間に斜め方向に差し渡された複数の棒状床支持材４ａとからなり、棒状床支持材４ａと床面２ａとの間には制振装置３３ａがあるので、床下地材６ａの振動は、床下地材６ａから棒状床支持材４ａと制振装置３３ａを伝って床面２ａに通過する際に、斜め方向に差し渡された棒状床支持材４ａが撓むことによって吸収されるし、制振装置３３ａによって小さくなるように制御されて、床面２ａに殆ど伝わらない。
【００５１】
又、複数の棒状床支持材４ａの間に吸音材５ａと線材３９ａが設けられているので、床下地材６ａの振動によって発生する騒音が、床下地材６ａと床面２ａとの間の空間を通過する際に、吸音材５ａによって吸収されるし、線材３９ａで反射されて床面２ａに伝わり難い。
【００５２】
このように、床下地材６ａの振動が床面２ａに殆ど伝わらないようになっているので、物が床面２ａに落下したり、子供等が飛び跳ねたり、排水したり、戸やカーテンを開閉する等によって床下地材６ａが振動しても、下階の騒音が極めて少なく、極めて好ましい二重床構造である。
【００５３】
又、棒状床支持材４ａがジグザグ形に折曲された可撓性を有する鋼線であって、この複数の棒状床支持材４ａが床下地材６ａと床面２ａとの間に設けられ、頂点が床下地材６ａに連結材４１ａで固定されているので、この床下地材６ａと床面２ａとの間にトラスが形成され、剛性が大きくなり、床下地材６ａが撓み難くなっている。
【００５４】
従って、少ない材料で撓み難い二重床構造をすることができ、床下地材６ａの上方に重い箪笥やテレビ等の電化製品を設置しても、床下地材６ａが撓み難く、従来、床下地材６ａの上方に重い物を載せたときに撓み難くするための床面２ａと床下地材６ａとの間に設ける根太が不要になるし、床面２ａと床下地材６ａとの間に連続した大きな空間が形成され、この間に、吸音材５ａや線材３９ａを取り付け易い。
又、線材３９ａが棒状床支持材４ａの間にあるので、室内から見えなく、美麗である。
【００５５】
（実施例３）
図６は本発明の別の実施例を示すもので、二重床構造を示す断面図である。
【００５６】
図６において、１ｂは二重床であり、この二重床１ｂは、床面２ｂと制振装置３３ｂと管材３５ｂと線材３９ｂと棒状床支持材４ｂと吸音材５ｂと防振材３ｂと床下地材６ｂと床仕上げ材７ｂとからなる。
床面２ｂは集合住宅の床を構成するコンクリート製の床スラブである。
【００５７】
制振装置３３ｂは振動を防ぐダンパーであって、実施例２に使用したものと略同じであるので、説明を省略する。
管材３５ｂは上水道管である。
防振材３ｂは合成ゴム製の板状体である。
線材３９ｂは電線である。
棒状床支持材４ｂは、可撓性を有する径が１０〜１３ｍｍの断面円形の鋼線をジグザグ形に折曲させたものである。
【００５８】
尚、この棒状床支持材４ｂと制振装置３３ｂと防振材３ｂとは次のようにして使用する。
即ち、複数の棒状床支持材４ｂを、実施例１示すように、斜めに傾斜させて並べて上側と下側の頂点同士を溶接し、上側の頂点に鋼線の連結材４１ｂを架け渡し、この連結材４１ｂと棒状床支持材４ｂとを溶接して固定し、この下側の頂点に制振装置３３ｂを取り付け、上側の頂点に防振材３ｂを取り付けた床支持パネルＰｂとして使用する。
吸音材５ｂは厚み５０ｍｍのガラスウールである。
床下地材６ｂは厚み１８ｍｍのパーチクルボードである。
床仕上げ材７ｂは厚み１２ｍｍの化粧合板である。
【００５９】
次に、この二重床１ｂの施工方法及び作用について説明する。
工場で、鋼線をジグザグに折曲して棒状床支持材４ｂを製造し、この複数の棒状床支持材４ｂを斜めに傾斜させて並べて上側と下側の頂点同士を接合し、この頂点に鋼線の連結材４１ｂを架け渡し、この棒状床支持材４ｂを溶接して固定し、この下側の頂点に制振装置３３ｂを取り付け、上側の頂点に防振材３ｂを取り付けて床支持パネルＰｂを製造する。
【００６０】
このように、予め、工場で床下地材６ｂに棒状床支持材４ｂと制振装置３３ｂと防振材３ｂを取り付けた床支持パネルＰｂを製造すると、棒状床支持材４ｂが斜めに互い違いに折曲された鋼線であるので、棒状床支持材４ｂを製造し易いし、施工現場で棒状床支持材４ｂを組み立てたり、この棒状床支持材４ｂに制振装置３３ｂや防振材３ｂを取り付ける必要がなくなり、現場施工工数が少なくなる。
【００６１】
このようにして製造した床支持パネルＰｂを床面２ｂに置き、複数の棒状床支持材４ｂの間に吸音材５ｂを取り付けたり、管材３５ｂを配管したり、線材３９ｂを通したり、床支持パネルの上に床下地材６ｂを取り付けたり、この床下地材６ｂの上に床仕上げ材７ｂを取り付けると、二重床１ｂが完成する。
【００６２】
このようにして完成した二重床１ｂでは、床面２ｂと、この床面２ｂの上方に略並行に設けられた床下地材６ｂと、この床面２ｂと床下地材６ｂの間に斜め方向に差し渡された複数の棒状床支持材４ｂとからなり、床下地材６ｂと棒状床支持材４ｂとの間には防振材３ｂがあるし、棒状床支持材４ｂと床面２ｂとの間には制振装置３３ｂがあるので、床下地材６ｂの振動は、床下地材６ｂから床面２ｂに棒状床支持材４ｂと制振装置３３ｂを伝って床面２ｂに通過する際に、防振材３ｂによって吸収されて小さくなるし、斜め方向に差し渡された棒状床支持材４ｂが撓むことによって吸収されるし、制振装置３３ｂによって小さくなるように制御されて、床面２ｂに殆ど伝わらない。
【００６３】
又、複数の棒状床支持材６ｂの間に吸音材５ｂや線材３９ｂや管材３５ｂが設けられているので、床下地材６ｂの振動によって発生する騒音が、床下地材６ｂと床面２ｂとの間の空間を通過する際に、吸音材５ｂによって吸収されたり、線材３９ｂや管材３５ｂで反射される。
このように、床下地材６ｂの振動は床面２ｂに殆ど伝わらないようになっているので、物が床面に落下したり、子供等が飛び跳ねたり、排水したり、戸やカーテンを開閉する等によって床下地材６ｂが振動しても、下階の騒音が少なく極めて好ましい二重床構造である。
【００６４】
又、棒状床支持材４ｂがジグザグ形に折曲された可撓性を有する鋼線であって、この複数の棒状床支持材４ｂが床下地材６ｂと床面２ｂとの間に設けられ、頂点が連結材４１ｂで固定されているので、この床下地材６ｂと床面２ｂとの間にトラスが形成され、剛性が大きくなり、床下地材６ｂが撓み難くなっている。
【００６５】
従って、少ない材料で機械的強度の大きな二重床構造をすることができ、床下地材６ｂの上方に重い箪笥やテレビ等の電化製品を設置しても、床下地材６ｂが撓み難く、従来、床下地材６ｂの上方に重い物を載せたときに撓み難くするための床面２ｂと床下地材６ｂとの間に設ける根太が不要になるし、床面２ｂと床下地材６ｂとの間に連続した空間が形成され、この間に、吸音材５ｂを設置したり、
管材３５ｂや電線３９ｂを取り付け易い。
又、線材３９ｂや管材３５ｂが棒状床支持材４ｂの間にあるので、室内から
見えなく、美麗である。
【００６６】
（実施例４）
図７及び図８は本発明の別の実施例を示すもので、図７は二重床構造を示す断面図である。
【００６７】
図７において、１ｃは二重床であり、この二重床１ｃは、床面２ｃと防振材３ｃと棒状床支持材４ｃと板状補強材８１ｃ，８２ｃと吸音材５ｃと床下地材６ｃと床仕上げ材７ｃとからなる。
床面２ｃは集合住宅の床を構成するコンクリート製の床スラブである。
【００６８】
防振材３は実施例１に使用したものと略同じであるので、説明を省略する。
棒状床支持材４ｃは、可撓性を有する径が１０〜１３ｍｍの断面円形の鋼線を斜めに互い違いに折曲させたものである。
【００６９】
そして、この複数の棒状床支持材４ｃを、図８に示すように、斜めに傾斜させて並べて上側の頂点同士を厚さ２．３ｍｍの鉄製の板状補強材８１ｃに溶接固定し、下側の頂点同士を厚さ２．３ｍｍの鉄製の板状補強材８２ｃに溶接固定し、これら板状補強材８１ｃ、８２ｃと棒状床支持材４ｃとを溶接して固定したものを、床支持パネルＰｃとして使用する。
吸音材５ｃは厚み５０ｍｍのガラスウールである。
床下地材６ｃは厚み１８ｍｍのパーチクルボードである。
床仕上げ材７ｃは厚み１２ｍｍの化粧合板である。
【００７０】
次に、この二重床１の施工方法及び作用について説明する。
工場で、鋼線を斜めに互い違いに折曲して棒状床支持材４ｃを製造し、この複数の棒状床支持材４ｃを、図８に示すように、斜めに傾斜させて並べて上側の頂点同士を鋼製の板状補強材８１ｃに溶接固定し、下側の頂点同士を鋼製の板状補強材８２に溶接固定し、床支持パネルＰｃを製造する。
このように、複数の棒状床支持材４ｃを斜めに傾斜させて並べて上側の頂点同士を鋼製の板状補強材８１に溶接固定するので、頂点の支持部をプレートの同一面上に固定することができ、寸法精度が安定し、作業性もよくなる。下側の頂点同士を鋼製の板状補強材８２に溶接固定するときも前記と同様のことがいえる。
【００７１】
この床支持パネルＰｃの板状補強材８１ｃを床下地材６ｃにタッカー等で固定して床パネルＦｃを製造する。
このように、予め、工場で床下地材６ｃに棒状床支持材４ｃを板状補強材８１ｃに溶接固定した床支持パネルＰｃとし、床下地材６ｃを固定して床パネルＦｃとすると、施工現場で棒状床支持材４ｃを組み立てたり、取り付ける必要がなくなり、現場施工工数が少なくなる。
【００７２】
施工現場では、床面２ｃに防振材３ｃを敷き、この上に予め工場で製造した床支持パネルＦｃを据え付け、複数の棒状床支持材４ｃの間に吸音材５ｃを取り付け、床下地材６ｃの上に床仕上げ材７ｃを取り付けると、二重床１ｃが完成する。
尚、この実施例４においては板状補強材８１ｃ，８２ｃを棒状床支持材４ｃの頂点に載せて、板状補強材８１ｃ，８２ｃと頂点とを溶接して固定し、この板状補強材８１ｃに通孔を設けて、この通孔にビス、釘、タッカー等の連結具を通して床下地材６ｃに取り付けるようにしてある。
【００７３】
このようにして完成した二重床１ｃでは、床面２ｃと、床面２ｃに取り付けられた防振材３ｃと、この床面２ｃの上方に略並行に設けられた床下地材６ｃと、この床面２ｃと床下地材６ｃの間に斜め方向に差し渡された複数の棒状床支持材４ｃとからなるので、床下地材６ｃの振動は、床下地材６ｃから棒状床支持材４ｃと防振材３ｃを伝って床面２ｃに通過する際に、斜め方向に差し渡された棒状床支持材４ｃが撓むことによって吸収されたり、防振材３ｃによって吸収されて小さくなり、床面２ｃに殆ど伝わらない。
【００７４】
又、複数の棒状床支持材４ｃの間に吸音材５ｃが設けられ、床面２ｃの上に防振材３ｃがあるので、床下地材６ｃの振動によって発生する騒音が、床下地材６ｃと床面２ｃとの間の空間を通過する際に、吸音材５ｃによって吸収されたり、防振材３ｃによって吸収されて小さくなり、床面２ｃに伝わり難くなっている。このように、床下地材６ｃの振動は床面２ｃに殆ど伝わらないようになっているので、上階で物が床面２ｃに落下したり、子供等が飛び跳ねたり、排水したり、戸やカーテンを開閉する等によって床下地材６ｃが振動しても、下階の騒音は極めて少なく、極めて好ましい二重床構造である。
【００７５】
又、床下地材６ｃでは、棒状床支持材４ｃがジグザグ形に折曲された可撓を有する鋼製の線材であって、この複数の棒状床支持材４ｃを、図８に示すように、板状補強材８１ｃ，８２ｃを棒状床支持材４ｃの頂点に載せて、板状補強材８１ｃ，８２ｃと頂点とを溶接して固定してトラスが形成されているので、この床支持パネルＰｃが床下地材６ｃと床面２ｃとの間に設けられると、この二重床１ｃの剛性がさらに大きく、床下地材６ｃが撓み難くなる。
【００７６】
従って、実施例１よりさらに機械的強度の大きな二重床構造にすることができ、床下地材６ｃの上方に重い箪笥やテレビ等の電化製品を設置しても、床下地材６ｃが撓み難く、従来、床下地材６ｃの上方に重い物を載せるために必要な床面２ｃと床下地材６ｃとの間に設けて撓み難くする根太が不要になるし、床面２ｃと床下地材６ｃとの間に連続した大きな空間が形成され、この間に、吸音材５ｃを設置し易い。
（実施例５）
図９、図１０は本発明の別の実施例を示すもので、図９は二重床構造を示す断面図であり、図１０は斜視図である。
【００７７】
図９において、１ｄは二重床であり、この二重床１ｄは、床面２ｄと防振材３ｄと棒状床支持材４ｄと板状補強材８１ｄ，８２ｄと吸音材５ｄと床下地材６ｄと床仕上げ材７ｄ、継なぎ床下地材６１ｄと継なぎ床仕上げ材７１ｄとからなる。
床面２ｄは集合住宅の床を構成するコンクリート製の床スラブである。
【００７８】
防振材３ｄ、棒状床支持材４ｄ、板状の板状補強材８１ｄ，８２ｄ、吸音材５ｄ、床下地材６ｄ、床仕上げ材７ｄは実施例１に使用したものと略同じであるので、説明を省略する。
【００７９】
次に、この二重床１ｄの施工方法及び作用について説明する。
実施例４と同様に工場で、鋼線をジグザグ形に折曲して棒状床支持材４ｄを製造し、この複数の棒状床支持材４ｄを、、斜めに傾斜させて並べて上側の頂点同士を鋼製の板状補強材８１ｄに溶接固定し、下側の頂点同士を鋼製の板状補強材８２ｄに溶接固定し、床支持パネルＰｄを製造する。
【００８０】
この床支持パネルＰｄの板状補強材８１ｄの周縁部を残して、床下地材６ｄにビスで固定して床パネルＦｄを製造する。このようにするのは、板状補強材８１ｄの周縁部を残すことにより、継なぎ床下地材６１ｄで連結できるようにする為である。
【００８１】
施工現場では、床面２ｄに防振材３ｄを敷き、この上に予め工場で製造した板状補強材８１ｄの周縁部を残して、床下地材６ｄをビスで固定した床パネルＦｄを間隔を置いて据え付け、複数の棒状床支持材４ｄの間及びパネル間にも吸音材５ｄを取り付け、床支持パネルＦｄの板状補強材８１ｄの周縁部に残された部分を継なぎ床下地材６１ｄで接続し、床下地材６ｄ、継なぎ床下地材６１ｄの上に床仕上げ材７ｄを取り付けると、二重床１ｄが完成する。
【００８２】
【発明の効果】
請求項１記載の発明は、床面と、この床面の上方に略並行に設けられた床下地材と、この床面と床下地材の間に斜め方向に差し渡された複数の棒状床支持材とからなることを特徴とする二重床構造であるから、床下地材の振動が、棒状床支持材を伝って床面に達する際に、斜め方向に差し渡された棒状床支持材が撓むことによって吸収され、床面に殆ど伝わらず、その結果、物が床面に落下したり、子供等が飛び跳ねたり、排水したり、戸やカーテンを開閉する等によって床下地材が振動しても、下階の騒音が少なく極めて好ましい二重床構造である。
【００８３】
請求項２記載の発明は、複数の棒状床支持材の間に管材、線材、吸音材及び遮音材のいずれかが設けられているから、床下地材の振動が、床下地材と床面との間の空間を騒音となって床面に達する際に、管材や線材によって散乱されたり、吸音材によって吸収されたり、遮音材によって遮えぎられ、床面が振動し難く、その結果、物が床面に落下したり、子供等が飛び跳ねたり、排水したり、戸やカーテンを開閉する等によって床下地材が振動しても、下階の騒音が更に少なくない極めて好ましい二重床構造である。
又、複数の棒状床支持材の間に管材や線材が設けられている場合には、管材や線材が床下地材と床面との間に存在して、室内から見えなくなり、居住性がよくなる。
【００８４】
請求項３記載の発明は、床面と棒状床支持材との接点又は棒状床支持材と床下地材との接点に制振材、防振材及び遮音材のいずれかが設けられているから、床下地材の振動が、棒状床支持材を伝って床面に達する際に、制振材によって小さくなるように制御されたり、防振材によって吸収されたり、遮音材によって遮られ、その結果、物が床面に落下したり、子供等が飛び跳ねたり、排水したり、戸やカーテンを開閉する等によって床下地材が振動しても、下階の騒音が更に少なくない極めて好ましい二重床構造である。
【００８５】
請求項４記載の発明では、棒状床支持材が、長尺の棒材をジグザグ形に曲折して形成されたものなので、棒材を斜めに互い違いに折曲された形状にすればよく、棒状床支持材を製造し易いし、斜めに差し渡された長尺の棒材が撓むことによって棒状床支持材を通過する振動が著しく小さくなり、効果が大きい。
そして、この棒状床支持材を床面と床下地材の間に略立設した状態に取り付けるだけで、請求項１記載の二重床構造にすることができるし、床面と床下地材との間に連続した大きな空間が形成され、この間に、請求項２記載の発明のように、管材や線材や吸音材や遮音材等を設置し易い。
【００８６】
又、このジグザグ形に折曲された形状の長尺の棒材を床下地材と床面との
間に設け、且つ、長尺の棒材の頂点に線材や板材等の連結材を架け渡して長尺の棒材と連結材を溶接する等して頂点を固定したり、床下地材に頂点を取り付けて固定すると、この床下地材と床面の間にトラスが形成され、剛性が大きく撓み難くなる。　その結果、少ない材料で撓み難い二重床構造をすることができ、床下地材の上方に重い箪笥やテレビ等の電化製品を設置しても床下地材が撓み難く、従来、床下地材の上方に重い物を載せたときに撓み難くするために床面と床下地材との間に設ける撓み難くする根太が不要になる。
【００８７】
又、予め複数の棒状床支持材を工場等で組み立て、必要があれば、制振材や防振材等を取り付けたり、床下地材を取り付けてパネルにすると、このパネルを据え付け易くなるし、施工現場で棒状床支持材を組み立てる必要がなく、現場施工工数が少なくなる。
【００８８】
請求項５の発明では　前記床面と棒状床支持材の間又は棒状床支持材と床下地材との間に板状補強材が設けられているので、屈曲された棒状材の屈曲部頂点を連結し、同一面上に精度よく配置し、安定化することができる。
【００８９】
請求項６記載の発明では、床下地材と、斜め方向に立設された複数の棒状床支持材とからなることを特徴とする床パネルであるので、この床パネルを床下地材を上方にして床面に設置するだけで、請求項１記載の二重床構造になるし、複数の棒状床支持材の間に、予め、又は、設置する際に、管材、線材、吸音材及び遮音材のいずれかを設けると、請求項２記載の二重床構造になるし、床面と棒状床支持材の間又は棒状床支持材と床下地材との間に、予め、又は、設置する際に、制振材、防振材及び遮音材のいずれかを設けると請求項３記載の二重床構造になる。従って、既存の建物の床構造を二重床構造に改修したり、新築の建物の床構造を二重床構造に施工し易く、しかも、このように二重床構造にすると、それぞれの項に記載されているような効果がある。
【００９０】
請求項７記載の発明では、請求項６記載の床パネルの床下地材と棒状床下地材の間に板状補強材がその端面が床下地材端面より側方へ突出するように設けた床パネルを床面に所定間隔離して設置し板状補強材同士に継なぎ床下地で接続
したことを特徴とする二重床構造であるので、上に床下地材のない板状補強材の周縁部に別の床下地材を掛け渡し、全面床とすることができ、全面設置に比較し、部材費、施工費を低下させることができる。
【図面の簡単な説明】
【図１】本発明の一実施例を示すもので、二重床構造を示す断面図である。
【図２】床支持パネルを示す斜視図である。
【図３】本発明の他の実施例を示すもので、二重床構造を示す断面図である。
【図４】制振材の断面図である。
【図５】電線を通した床パネルを示す斜視図である。
【図６】本発明の別の実施例を示すもので、二重床構造を示す断面図である。
【図７】本発明の別の実施例を示すもので、二重床構造を示す断面図である。
【図８】床支持パネルを示す上面図と断面図である。
【図９】本発明の別の実施例を示すもので、二重床構造を示す断面図である。
【図１０】本発明の別の実施例を示す斜視図である。
【符号の説明】
１、１ａ、１ｂ、１ｃ、１ｄ　　　　二重床
２、２ａ、２ｂ、２ａ、２ｂ　　　　床面
３、３ｂ　　　　　　　　　　　　　防振材
３３ａ、３３ｂ　　　　　　　　　　制振材
３５ｂ　　　　　　　　　　　　　　管材
３９ａ、３９ｂ　　　　　　　　　　線材
４、４ａ、４ｂ、４ｃ、４ｄ　　　　棒状床支持材
５、５ａ、５ｂ、５ｃ、５ｄ　　　　吸音材
６、６ａ、６ｂ、６ｃ、６ｄ　　　　床下地材
６１ｄ　　　　　　　　　　　　　　継なぎ床下地材
７、７ａ、７ｂ、７ｃ、７ｄ　　　　床仕上げ材
８１ｃ、８１ｄ、８２ｃ、８２ｄ　　板状補強材
Ｐ、Ｐｂ、Ｐｃ　　　　　　　　　　床支持パネル
Ｆ、Ｆａ、Ｆｃ　　　　　　　　　　床パネル
【図１】
2004092378.tif 000003
【図２】
2004092378.tif 000004
【図３】
2004092378.tif 000005
【図４】
2004092378.tif 000006
【図５】
2004092378.tif 000007
【図６】
2004092378.tif 000008
【図７】
2004092378.tif 000009
【図８】
2004092378.tif 000010
【図９】
2004092378.tif 000011
【図１０】
2004092378.tif 000012